(57)【要約】      （修正有）【課題】高解像度、高頻度及び高精度な気象場の客観解析をリアルタイムに行うことが可能な気象場の客観解析装置及び気象場の客観解析方法を提供する。【解決手段】気象場の客観解析装置１０は、気象場の観測データを取得する観測データ取得部１１と、初期時刻に初期値を作成する初期値作成部１２と、初期値から継続的に所定時間毎に気象場の予報値を作成する予報値作成部１３と、リスタート予報値及びその後のデータを作成するための情報を含むリスタートファイルを作成するリスタートファイル作成部１４と、新たな観測データが入力された解析時刻の予報値を推定値として作成する推定値作成部１５と、観測データ取得部１１が取得した新たな観測データと推定値作成部１３が作成した推定値とから解析インクリメントを計算する仮解析部１６と、本解析値を出力する本解析部１７と、を備えることを特徴とする。【選択図】図１
2018031683.tif 000002
【特許請求の範囲】
【請求項１】
気象場の観測データを取得する観測データ取得部と、
背景場データ及び前記観測データ取得部が取得した前記観測データから初期時刻に初期値を作成する初期値作成部と、
前記初期値作成部が作成した前記初期値から継続的に所定時間毎に気象場の予報値を作成する予報値作成部と、
解析値を求める解析時刻より前の予め定めたリスタート時刻におけるリスタート予報値及びその後のデータを作成するための情報を含むリスタートファイルを作成するリスタートファイル作成部と、
前記初期時刻の後、所定時刻毎に前記観測データ取得部が取得する新たな観測データが入力された前記解析時刻の予報値を推定値として作成する推定値作成部と、
前記観測データ取得部が取得した前記新たな観測データと前記推定値作成部が作成した前記推定値とから解析インクリメントを計算する仮解析部と、
前記リスタート時刻まで遡り、前記解析時刻に前記仮解析部が計算した前記解析インクリメントを用いて、前記リスタート予報値を前記リスタート時刻でのデータ分から修正し、本解析値を出力する本解析部と、
を備える
ことを特徴とする気象場の客観解析装置。
【請求項２】
本解析後、前記本解析値を新たな初期値として、前記予報値作成部が予報値を継続的に作成する
ことを特徴とする請求項１に記載の気象場の客観解析装置。
【請求項３】
前記本解析部は、前記解析インクリメントを平滑化して用いて、前記リスタート予報値を前記リスタート時刻から継続的に修正する
ことを特徴とする請求項１又は請求項２に記載の気象場の客観解析装置。
【請求項４】
背景場データ及び観測データから初期値を作成し、
前記初期値から気象場の予報値を継続的に作成し、
解析値を求める解析時刻より前の予め定めたリスタート時刻におけるリスタート予報値及びその後のデータを作成するための情報を含むリスタートファイルを作成し、
新たな観測データが有る場合、前記解析時刻の予報値を推定値として作成し、
前記推定値と前記新たな観測データから解析インクリメントを計算し、
前記解析インクリメントを保持し、前記リスタート時刻へ遡り、
前記リスタートファイルと前記解析インクリメントから本解析を行う
ことを特徴とする客観解析方法。
【請求項５】
本解析後、前記本解析値を新たな初期値として、前記予報値を継続的に作成する
ことを特徴とする請求項４に記載の気象場の客観解析方法。
【請求項６】
前記本解析は、前記解析インクリメントを平滑化して用いて、前記リスタート予報値を前記リスタート時刻から継続的に修正する
ことを特徴とする請求項４又は請求項５に記載の気象場の客観解析方法。
【発明の詳細な説明】
【技術分野】
【０００１】
本発明は、観測データから気象場の客観解析を行う気象場の客観解析装置及び気象場の客観解析方法に関する。
【背景技術】
【０００２】
近年、観測データを取得し、大気現象を支配する物理法則から将来の気象場を客観的に予測する数値予報を行い、数値予報により作成される資料を利用して天気予報が行われている。数値予報を行うには、コンピュータで取り扱いやすくするため、初めに三次元空間を格子で区切り、観測データから各格子点での気象場を初期値として求める。ここで、不規則に分布した観測データから、規則的な格子点での気象場を与えることを客観解析という。
【０００３】
従来、客観解析装置として、ドップラーレーダーにより取得された観測データをデータ解析部により解析し、一定の品質評価指標のもとで取捨選択、あるいは重み関数を乗算することにより時空間的な連続性を保つシステムが開示されている（特許文献１参照）。
【０００４】
図６は、従来の客観解析装置の解析の流れを示す。ここで、横軸は、時間の流れを表す。
【０００５】
従来の客観解析装置は、まず、第１の時刻の観測データから初期値を作成する。その後、初期値を用いて第１の時刻から所定の時間経過した第２の時刻の推定値及び第３の時刻の推定値を求める。続いて、第２の時刻に、第２の時刻の推定値と第２の時刻の観測データから第２の時刻の解析値を求める。次に、第３の時刻に、第３の時刻の推定値と第３の時刻の観測データから第３の時刻の解析値を求める（非特許文献１参照）。
【先行技術文献】
【特許文献】
【０００６】
【特許文献１】特開２００５−２４９６６２号公報
【非特許文献】
【０００７】
【非特許文献１】数値予報課，「数値予報の基礎知識と最新の数値予報システム」，気象庁予報部，平成２４年度数値予報研修テキスト，２０１２年１１月
【発明の概要】
【発明が解決しようとする課題】
【０００８】
特許文献１の客観解析装置は、レーダーが降水粒子の動きをとらえることで、風向及び風速を観測するものである。したがって、雨が降っていない場所では、風向及び風速を推定することができない。また、レーダーは、直線状に進むため、地表付近の観測をすることができず、観測解像度が低く、局所的な変化に対応することができなかった。
【０００９】
また、非特許文献１の客観解析装置は、第１の時刻の観測データから初期値を作成した後、第１の時刻に作成した初期値を用いて以後の推定値を求める。したがって、観測データと共に解析値を求めるための推定値は、すべて第１の時刻に作成した初期値のみに影響をうけることになる。つまり、各解析値の時間的な連続性は担保されておらず、第１の時刻に作成した初期値を数時間利用することとなるので、解析値の精度が低かった。また、解析間隔が長く、リアルタイムの配信とはなっていなかった。さらに、解像度が低く、局所的な変化に対応することができなかった。
【００１０】
本発明は、従来技術と比較して、高解像度、高頻度及び高精度な気象場の客観解析をリアルタイムに行うことが可能な気象場の客観解析装置及び気象場の客観解析方法を提供することを目的とする。
【課題を解決するための手段】
【００１１】
本発明にかかる気象場の客観解析装置は、
気象場の観測データを取得する観測データ取得部と、
背景場データ及び前記観測データ取得部が取得した前記観測データから初期時刻に初期値を作成する初期値作成部と、
前記初期値作成部が作成した前記初期値から継続的に所定時間毎に気象場の予報値を作成する予報値作成部と、
解析値を求める解析時刻より前の予め定めたリスタート時刻におけるリスタート予報値及びその後のデータを作成するための情報を含むリスタートファイルを作成するリスタートファイル作成部と、
前記初期時刻の後、所定時刻毎に前記観測データ取得部が取得する新たな観測データが入力された前記解析時刻の予報値を推定値として作成する推定値作成部と、
前記観測データ取得部が取得した前記新たな観測データと前記推定値作成部が作成した前記推定値とから解析インクリメントを計算する仮解析部と、
前記リスタート時刻まで遡り、前記解析時刻に前記仮解析部が計算した前記解析インクリメントを用いて、前記リスタート予報値を前記リスタート時刻でのデータ分から修正し、本解析値を出力する本解析部と、
を備える
ことを特徴とする。
【００１２】
本発明にかかる気象場の客観解析装置は、
本解析後、前記本解析値を新たな初期値として、前記予報値作成部が予報値を継続的に作成する
ことを特徴とする。
【００１３】
本発明にかかる気象場の客観解析装置は、
前記本解析部は、前記解析インクリメントを平滑化して用いて、前記リスタート予報値を前記リスタート時刻から継続的に修正する
ことを特徴とする。
【００１４】
本発明にかかる気象場の客観解析方法は、
背景場データ及び観測データから初期値を作成し、
前記初期値から気象場の予報値を継続的に作成し、
解析値を求める解析時刻より前の予め定めたリスタート時刻におけるリスタート予報値及びその後のデータを作成するための情報を含むリスタートファイルを作成し、
新たな観測データが有る場合、前記解析時刻の予報値を推定値として作成し、
前記推定値と前記新たな観測データから解析インクリメントを計算し、
前記解析インクリメントを保持し、前記リスタート時刻へ遡り、
前記リスタートファイルと前記解析インクリメントから本解析を行う
ことを特徴とする。
【００１５】
本発明にかかる気象場の客観解析方法は、
本解析後、前記本解析値を新たな初期値として、前記予報値を継続的に作成する
ことを特徴とする。
【００１６】
本発明にかかる気象場の客観解析方法は、
前記本解析は、前記解析インクリメントを平滑化して用いて、前記リスタート予報値を前記リスタート時刻から継続的に修正する
ことを特徴とする。
【発明の効果】
【００１７】
このような気象場の客観解析装置及び気象場の客観解析方法によれば、高解像度、高頻度及び高精度な気象場の客観解析をリアルタイムに行うことが可能となる。
【図面の簡単な説明】
【００１８】
【図１】本実施形態の客観解析装置を示す。
【図２】本実施形態の客観解析装置の解析の流れを示す。
【図３】本実施形態の客観解析装置の各時刻におけるデータを示す。
【図４】本実施形態の客観解析装置の制御フローチャートを示す。
【図５】従来法と本実施形態の客観解析装置で風を解析した例を示す。
【図６】従来の客観解析装置の解析の流れを示す。
【発明を実施するための形態】
【００１９】
本発明にかかる実施の形態を図により説明する。
【００２０】
図１は、本実施形態の客観解析装置を示す。図２は、本実施形態の客観解析装置の解析の流れを示す。図２の横軸は、時間の流れを表す。図３は、本実施形態の客観解析装置の各時刻におけるデータを示す。
【００２１】
客観解析装置１は、観測データ取得部１１と、初期値作成部１２と、予報値作成部１３と、リスタートファイル作成部１４と、推定値作成部１５と、仮解析部１６と、修正部１７と、本解析部１８と、を備える。
【００２２】
観測データ取得部１１は、地上観測、気象衛星及びレーダー等の観測データを、世界各国の気象機関又は宇宙機関等から取得する。観測は、様々な場所や時刻で行われているので、観測データはそれぞれの取得先から所定の時間毎に取得される。また、観測データ取得部１１は、気象庁の全球モデル又はメソモデルの格子点データ等の背景場データも取得することが好ましい。観測データには、人為的なミスや機器の故障等によって精度が低く、利用できないものが存在するので、これらのデータは除外する。取得された観測データは、初期値作成部１２に出力される。
【００２３】
初期値作成部１２は、背景場データ及び観測データ取得部１１が取得した観測データから初期時刻に初期値を作成する。図３に示すように、観測データは、分布が不均一であるため、そのまま使用することはできない。そのため、初期値作成部１２は、空間的且つ時間的に均一な形式の初期値を作成する。
【００２４】
予報値作成部１３は、初期値作成部１２が作成した初期値から継続的に所定時間毎に気象場の予報値を作成する。予報値は、初期値と同様に空間的且つ時間的に均一な形式で作成される。ここで、気象場とは、気圧、気温、湿度、風向、風速、降水量、積雪の深さ、降雪の深さ、日照時間、日射量、雲、視程、大気現象等をいう。
【００２５】
リスタートファイル作成部１４は、本解析に使用するリスタートファイルを作成する。リスタートファイルは、解析時刻より前の予め定めたリスタート時刻ｔにおける予報変数（風、気温、気圧、水物質等）、予報変数の時間変化項、境界値、及びリスタート時刻の一つ前のタイムステップ時間ｔ−Δｔにおける予報変数等によって、作成される（非特許文献１参照）。
【００２６】
推定値作成部１５は、初期時刻の後、所定時刻毎に観測データ取得部１１が取得する観測データが入力された解析時刻の予報値を推定値として作成する。推定値は、予報値と同様に空間的且つ時間的に均一な形式で作成される。
【００２７】
仮解析部１６は、観測データ取得部１１が取得した新たな観測データと推定値作成部１５が作成した推定値とから解析インクリメントを計算する。解析インクリメントは、推定値と新たな観測値の誤差を修正する値である。解析インクリメントは、推定値と同様に空間的且つ時間的に均一な形式で作成される。本実施形態では、３次元変分法を用いて解析を行うことが好ましい。
【００２８】
ここで、３次元変分法について簡単に説明する。３次元変分法では、以下の式（１）及び（２）を用いる。
J = 1/2 (x-xb)T B-1 (x-xb) + 1/2 [H(x)-y]T R-1 [H(x)-y]              （１）
∇xJ = B-1 (x-xb) + HT R-1 [H(x)-y]                            （２）
ただし、
B-1は、背景誤差共分散行列の逆行列、
R-1は、観測誤差共分散行列の逆行列、
yは、観測値、
xbは、推定値、
H(x) は、解析値から観測に相当する量を求める関数（観測演算子）、
HT は、観測演算子が解析値の線形変換に相当する場合の行列Hの転置行列
である。
【００２９】
式（１）は、コストファンクションと呼ばれ、観測値や数値モデルの推定値の誤差を二次形式で定量化したものである。式（２）は、コストファンクションの勾配ベクトルと呼ばれ、スカラー量のコストファンクションをこれから求めようとするベクトル量の推定値で微分したものであり、推定値と同じ次元をもつベクトル量である。
【００３０】
勾配ベクトルは、誤差を小さくするために推定値をどのように修正すればよいかについての定量的情報を与えるものである。背景誤差共分散行列の逆行列と観測誤差共分散行列の逆行列は、既知であって、予め記憶されている。すなわち、３次元変分法とは、勾配ベクトルを利用し、コストファンクションを最小にする未知値x を解析値として探査する問題である。
【００３１】
本解析部１７は、リスタート時刻まで遡り、解析時刻に仮解析部１６が計算した解析インクリメントを平滑化して用いて、リスタート予報値をリスタート時刻でのデータ分から継続的に修正し、本解析値を出力する。修正方法は、IAU（Incremental Analysis Update）フィルター等を用いることが好ましい。本解析後、新たな本解析値を初期値として、予報値作成部１３が予報値を継続的に作成する。すなわち、次の観測値を取得すると、すぐに計算を再開することが可能となる。
【００３２】
ここで、IAUフィルターについて説明する。IAUフィルターは、以下の式（３）を用いる。
∂A/∂t = Adv.A + Diff.A + Src.A + β( t - t 0 ) * Inc.A              （３）
【００３３】
数値予測の時間発展は一般に、式（３）のように、移流項(Adv)、拡散項(Diff)、発生・消滅項(Src)によって、時間発展が決定されている。IAUフィルターでは、さらにβ( t - t 0 ) * Inc.Aを付加することで、時間発展の仕方を変更し、予測を改善させるものである。
【００３４】
β( t - t 0 )は、ある時刻 t と同化が行われた時刻 t 0との時間差の関数で与えられる。t が t 0 に一致する時に最大となり、時間差が大きくなるほど０に近づく。Inc.Aは、ある時刻 t 0に式（１）と式（２）で得られた x-xb である。
【００３５】
図４は、本実施形態の客観解析装置の制御フローチャートを示す。
【００３６】
まず、ステップ１で、観測データ取得部１１で背景場データ及び気象庁等から取得した観測データを、初期値作成部１２で同化し、初期値を作成する（ＳＴ１）。背景場データは、初期値作成時に取得してもよい。
【００３７】
続いて、ステップ２で、初期値から予報値作成部１３が気象場の予報値を継続的に作成する（ＳＴ２）。
【００３８】
続いて、ステップ３で、リスタートファイル作成部１４がリスタートファイルを作成する（ＳＴ３）。リスタートファイルは、解析時刻より前の予め定めたリスタート時刻に作成される。
【００３９】
ステップ４では、新たな観測データが有るか否かを判定する（ＳＴ４）。新たな観測データは解析時刻に入力されるので、通常、解析時刻になるまでは、新たな観測データは、入力されない。新たな観測データが有る場合、ステップ５に進む。新たな観測データが無い場合、ステップ４に戻る。
【００４０】
ステップ５では、推定値作成部１５が解析時刻の予報値を推定値として作成する（ＳＴ５）。
【００４１】
続いて、ステップ６で、仮解析部１６が推定値と新たな観測データから解析インクリメントを計算する（ＳＴ６）。
【００４２】
次に、ステップ７で、本解析部１７において、解析インクリメントを保持し、リスタート時刻へ遡る（ＳＴ７）。
【００４３】
次に、ステップ８で、本解析部１７がリスタートファイルと解析インクリメントから本解析を行い、本解析値を出力する（ＳＴ８）。本解析は、解析インクリメントを平滑化して用いて、リスタート予報値をリスタート時刻でのデータ分から継続的に修正することが好ましい。
【００４４】
次に、ステップ９で、解析期間が終了したか否かを判定する（ＳＴ９）。解析期間が終了した場合には、制御を終了する。
【００４５】
解析期間が終了した場合、ステップ１０で、本解析値を新たな初期値とし、且つ、解析インクリメントを削除し、ステップ２に戻る（ＳＴ１０）。すなわち、本実施形態の客観解析装置は、解析期間が終了するまで、客観解析を繰り返す。
【００４６】
図５は、従来法と本実施形態の客観解析装置で風を解析した例を示す。図５（ａ）は、従来法で解析した例、図５（ｂ）は本実施形態の客観解析装置で解析した例を示す。図中、白い部分は非降水域、矢印の向きは風向き、矢印の長さは風速、をそれぞれ示す。
【００４７】
図５（ａ）に示すように、従来法で解析した場合、レーダーによって降水粒子の動きをとらえて、降水域での風向風速を求めることは可能である。しかしながら、非降水域では、風向風速を求めることはできない。
【００４８】
これに対して、図５（ｂ）に示すように、本実施形態の客観解析装置では、非降水域においても風向風速を推定することが可能である。
【００４９】
以上、本実施形態の気象場の客観解析装置１０は、気象場の観測データを取得する観測データ取得部１１と、背景場データ及び観測データ取得部１１が取得した観測データから初期時刻に初期値を作成する初期値作成部１２と、初期値作成部１２が作成した初期値から継続的に所定時間毎に気象場の予報値を作成する予報値作成部１３と、解析値を求める解析時刻より前の予め定めたリスタート時刻におけるリスタート予報値及びその後のデータを作成するための情報を含むリスタートファイルを作成するリスタートファイル作成部１４と、初期時刻の後、所定時刻毎に観測データ取得部が取得する新たな観測データが入力された解析時刻の予報値を推定値として作成する推定値作成部１５と、観測データ取得部１１が取得した新たな観測データと推定値作成部１３が作成した推定値とから解析インクリメントを計算する仮解析部１６と、リスタート時刻まで遡り、解析時刻に仮解析部１６が計算した解析インクリメントを用いて、リスタート予報値をリスタート時刻でのデータ分から修正し、本解析値を出力する本解析部１７と、を備える。したがって、本実施形態の気象場の客観解析装置は、高頻度及び高精度な気象場の客観解析をリアルタイムに行うことが可能となる。
【００５０】
また、本実施形態の気象場の客観解析装置１０は、本解析後、本解析値を新たな初期値として、予報値作成部１３が予報値を継続的に作成する。したがって、本実施形態の気象場の客観解析装置は、過去の解析結果を初期値とすることで、推定値の誤差を小さくすることが可能となる。
【００５１】
また、本実施形態の気象場の客観解析装置１０は、本解析部１７は、解析インクリメントを平滑化して用いて、リスタート予報値をリスタート時刻から継続的に修正する。したがって、本実施形態の気象場の客観解析装置は、連続性の高い解析をすることが可能となる。
【００５２】
本実施形態の気象場の客観解析方法は、背景場データ及び観測データから初期値を作成し、初期値から気象場の予報値を継続的に作成し、解析値を求める解析時刻より前の予め定めたリスタート時刻におけるリスタート予報値及びその後のデータを作成するための情報を含むリスタートファイルを作成し、新たな観測データが有る場合、解析時刻の予報値を推定値として作成し、推定値と新たな観測データから解析インクリメントを計算し、解析インクリメントを保持し、リスタート時刻へ遡り、リスタートファイルと解析インクリメントから本解析を行う。したがって、本実施形態の気象場の客観解析方法は、高頻度及び高精度な気象場の客観解析をリアルタイムに行うことが可能となる。
【００５３】
また、本実施形態の気象場の客観解析方法は、本解析後、本解析値を新たな初期値として、予報値を継続的に作成する。したがって、本実施形態の気象場の客観解析方法は、過去の解析結果を初期値とすることで、推定値の誤差を小さくすることが可能となる。
【００５４】
また、本実施形態の気象場の客観解析方法は、本解析は、解析インクリメントを平滑化して用いて、リスタート予報値をリスタート時刻から継続的に修正する。したがって、本実施形態の気象場の客観解析方法は、連続性の高い解析をすることが可能となる。
【００５５】
なお、この実施形態によって本発明は限定されるものではない。すなわち、実施形態の説明に当たって、例示のために特定の詳細な内容が多く含まれるが、当業者であれば、これらの詳細な内容に色々なバリエーションや変更を加えてもよい。
【符号の説明】
【００５６】
１０…客観解析装置
１１…観測データ取得部
１２…初期値作成部
１３…予報値作成部
１４…リスタートファイル部
１５…推定値作成部
１６…仮解析部
１７…本解析部
【図１】
2018031683.tif 000003
【図２】
2018031683.tif 000004
【図３】
2018031683.tif 000005
【図４】
2018031683.tif 000006
【図５】
2018031683.tif 000007
【図６】
2018031683.tif 000008